(57)【要約】【課題】有線ネットワーク側から視て、有線通信の通信信号への不要なノッチの挿入を回避することができ、これにより有線通信の通信容量を増やすことができる有線通信装置及びノッチ挿入方法を提供する。【解決手段】ノッチ挿入方法を実施するノッチ挿入システム１００を構成する有線通信システム１０に有線ネットワーク１１を介して接続される有線通信装置１２において、無線通信装置部１２２は、第１無線通信装置部２２１と、有線ネットワーク１１からの輻射電磁波の干渉を受け得る第２無線通信を行う第２無線通信装置部２２２とを備えた無線通信装置２２から該無線通信装置２２の必要周波数帯に関する情報を受信し、有線通信装置部１２１は、該必要周波数帯に関する情報に基づき、第２無線通信に対して輻射電磁波の干渉を与えないように有線通信の通信信号にノッチを挿入する。【選択図】図５
2008312143.tif 000002
【特許請求の範囲】
【請求項１】
有線通信システムに有線ネットワークを介して接続される有線通信装置であって、
前記有線ネットワークを介して有線通信を行う有線通信装置部と、
前記有線通信による前記有線ネットワークからの輻射電磁波の発生に拘わらず第１無線通信を行うことが可能な無線通信装置部とを備え、
前記無線通信装置部は、該無線通信装置部に対して前記第１無線通信を行うことが可能な第１無線通信装置部と、前記有線通信による前記有線ネットワークからの輻射電磁波の干渉を受け得る第２無線通信を行う第２無線通信装置部とを備えた無線通信装置から該無線通信装置の前記第２無線通信装置部が当該処理時点で必要とする必要周波数帯に関する情報を前記第１無線通信によって受信し、
前記有線通信装置部は、前記無線通信装置から受信した前記必要周波数帯に関する情報に基づき、前記無線通信装置の前記第２無線通信に対して前記輻射電磁波の干渉を与えないように前記有線通信の通信信号にノッチを挿入することを特徴とする有線通信装置。
【請求項２】
有線ネットワークを介して相互に接続された複数の有線通信装置の間で有線通信を行う有線通信システムにおける該有線通信の通信信号にノッチを挿入する方法であって、
前記有線ネットワークを介して有線通信を行う有線通信装置部と、前記有線通信による前記有線ネットワークからの輻射電磁波の発生に拘わらず第１無線通信を行うことが可能な無線通信装置部とを備えた前記有線通信装置において、前記無線通信装置部に対して前記第１無線通信を行うことが可能な第１無線通信装置部と、前記有線通信による前記有線ネットワークからの輻射電磁波の干渉を受け得る第２無線通信を行う第２無線通信装置部とを備えた無線通信装置に対して近くに前記有線ネットワークが存在することを前記第１無線通信によって通知するネットワーク通知ステップと、
前記有線ネットワーク周辺の前記無線通信装置において、前記有線通信装置からの前記通知の受信状態を検出し、該検出した受信状態に応じて前記有線通信の通信信号にノッチを挿入する必要があるか否かを決定する決定ステップと、
前記有線ネットワーク周辺の前記無線通信装置において、前記有線通信の通信信号にノッチを挿入する必要があると決定した場合に、前記第２無線通信の使用周波数帯を前記第２無線通信装置部が当該処理時点で必要とするか否かを判別する判別ステップと、
前記有線ネットワーク周辺の前記無線通信装置において、前記第２無線通信の使用周波数帯を前記第２無線通信装置部が必要とすると判断した場合に、該第２無線通信装置部が必要とする必要周波数帯に関する情報を前記有線通信装置へ前記第１無線通信によって送信する送信ステップと、
前記有線通信装置において、前記無線通信装置から受信した前記必要周波数帯に関する情報に基づき、前記無線通信装置の前記第２無線通信に対して前記輻射電磁波の干渉を与えないように前記有線通信の通信信号にノッチを挿入するノッチ挿入ステップと
を含むことを特徴とするノッチ挿入方法。
【請求項３】
前記有線ネットワーク周辺の前記無線通信装置において、前記有線通信の通信信号にノッチを挿入する必要があると決定した場合に、該無線通信装置を特定する情報を該無線通信装置の記憶部に登録する無線通信装置情報登録ステップをさらに含むことを特徴とする請求項２に記載のノッチ挿入方法。
【請求項４】
前記有線ネットワーク周辺の前記無線通信装置において、前記第２無線通信の使用周波数帯を前記第２無線通信装置部が必要とすると判断した場合に、該第２無線通信装置部の必要周波数帯に関する情報を該無線通信装置の前記記憶部に登録する必要周波数帯情報登録ステップと、
前記有線ネットワーク周辺の前記無線通信装置において、該無線通信装置の前記記憶部に登録した無線通信装置へ該無線通信装置を特定する情報及び該無線通信装置の第２無線通信装置部の必要周波数帯に関する情報を前記第１無線通信によって通知することで、該記憶部に登録した無線通信装置と該情報を共有する共有ステップと
をさらに含むことを特徴とする請求項３に記載のノッチ挿入方法。
【請求項５】
前記有線ネットワーク周辺の前記無線通信装置において、該無線通信装置の状態に関係する情報が変化した時に、該無線通信装置の前記記憶部に登録した無線通信装置を特定する情報及び必要周波数帯に関する情報を更新する更新ステップと、
前記有線ネットワーク周辺の前記無線通信装置において、前記記憶部に登録した無線通信装置へ該無線通信装置を特定する情報及び該無線通信装置の第２無線通信装置部の必要周波数帯に関する情報を前記第１無線通信によって通知する通知ステップと
をさらに含むことを特徴とする請求項４に記載のノッチ挿入方法。
【請求項６】
前記有線通信システムは、電力線通信を行うＰＬＣシステムであることを特徴とする請求項２から５のいずれか一つに記載のノッチ挿入方法。
【発明の詳細な説明】
【技術分野】
【０００１】
本発明は、ＰＬＣ等の有線通信を行う有線通信システムに有線ネットワークを介して接続される有線通信装置及び前記有線通信の通信信号にノッチを挿入するノッチ挿入方法に関する。
【背景技術】
【０００２】
近年の通信技術の発達により、ネットワークを介して相互に接続された複数の通信装置の間で通信を行う通信システムにおいては、各種の通信方式によって通信がなされている。例えば、複数の有線通信装置の間では、データの伝送チャンネルとして、電話線、ＬＡＮ（Local Area Network）ケーブルなどの通信専用線を用いた専用線ネットワークを介して通信を行う専用線通信や、電力線を用いた有線ネットワークを介して電力線通信（ＰＬＣ：Power Line Communication）等の通信を行う有線通信がなされたり、或いは複数の無線通信装置の間では、無線ＬＡＮ（Wireless Local Area Network）等の無線通信ネットワークを介して無線通信がなされたりしている。
【０００３】
このように、様々な無線・有線通信装置が稼動している中で、その無線・有線通信装置で使用されている周波数帯のうち、同一の周波数帯で通信を行うと、信号の輻射による電波干渉が起こり、通信品質が劣化してしまう。これは大きな課題であり、通信装置が効率よく稼動するためには、通信装置間で互いに干渉しないような工夫が必要となる。
【０００４】
無線通信技術の分野においては、図８（ａ）に示す無線通信システム＃１のように、異なる無線通信装置Ａ〜Ｄ間で、互いに干渉しないように、異なる周波数を使用する方法が採用されている。また、図８（ｂ）に示す無線通信システム＃２のように、同一無線通信装置Ａ〜Ａ間においては、例えば、周波数分割多重方式によって、異なる周波数を使用したり、或いは、時分割多重方式によって、通信するタイミングをずらしたりして、電波干渉を避ける方法が採用されている。
【０００５】
この問題は、無線通信装置間だけでなく、有線通信装置と無線通信装置との間においても同様に発生する。
【０００６】
図９は、有線通信システム及びその周辺に存在する無線通信システムにおいて、有線通信システムからの輻射電磁波によって発生する無線通信システムへの電波干渉を説明するための図である。
【０００７】
図９に示す有線通信システムにおいて、例えば、有線通信装置１と有線通信装置２との間で通信が行われると、その通信の際の信号の伝送によって電磁波が輻射される。このとき、該有線通信システムの周辺に存在する無線通信装置（例えば短波ラジオ受信機）Ｅが特定周波数の電波を受信している場合や、該有線通信システムの周辺に存在する無線通信システム（例えばアマチュア無線通信機システム）において、無線通信装置（例えばアマチュア無線通信機）Ｆと他の無線通信装置（例えば他のアマチュア無線通信機）Ｇとの間で通信が行われている場合には、これらの無線通信装置Ｅ〜Ｇは、該有線通信システムにおける有線ネットワーク５で信号伝送時に輻射される電磁波によって、電波干渉を受けることがある。
【０００８】
この問題を回避するために、従来の有線通信システムの有線ネットワークでは、平衡ツイストケーブルや同軸ケーブルなどの通信ケーブルを使用するといったケーブル構造の工夫などがなされている。これにより、電話線などの通信専用線を用いる専用線ネットワークにおいて輻射電磁波が発生し難くなる。
【０００９】
しかし、ＰＬＣ等の有線通信においては、通信専用線ではなく、ケーブル構造などの工夫がなされていない電力線等の電線で信号を伝送するため、その際に輻射される電磁波が周囲の無線通信装置に干渉を与えてしまう。
【００１０】
図１０は、ＰＬＣシステムからの輻射電磁波によって無線通信装置に干渉を与える状態を説明するための図であって、図１０（ａ）は、有線通信システム及びその周辺に存在する無線通信システムを模式的に示す概念図であり、図１０（ｂ）は、ＰＬＣ信号のスペクトル及び無線通信装置の電波使用状況を示す概略図である。
【００１１】
図１０に示すように、有線通信装置としての家電機器（例えば、ＰＬＣ機器搭載の家電機器）が接続される有線ネットワークにおいては、実際、ＰＬＣシステムの有線信号（例えば２ＭＨｚ〜３０ＭＨｚの周波数の信号）伝送時に輻射される電磁波が、無線通信装置としての無線機器（例えば、短波放送に使用する３ＭＨｚ，６ＭＨｚ，９ＭＨｚの周波数帯などの電波を受信する短波ラジオ受信機や、３ＭＨｚ〜３０ＭＨｚの周波数の電波を送受信するアマチュア無線通信機などの無線機器）に対して干渉を与えるという問題がある。
【００１２】
そこで、ＰＬＣ機器では、この問題を回避するための一つの手法として、周辺の無線機器に対して電波干渉を及ぼさないように、ＰＬＣの通信信号にノッチを挿入する制御がなされている。ここで、「ノッチを挿入する」とは、通信制御の際のソフト処理などの手段で、有線通信信号の特定の周波数帯の信号レベル（信号強度）を下げることをいう。
【００１３】
即ち、従来のＰＬＣ機器では、一般的に、変調方式として直交周波数多重（ＯＦＤＭ：Orthogonal Frequency Division Multiplex）方式が採用されていることから、使用する周波数を簡単に選択することができるので、ＰＬＣの通信信号にノッチを挿入する制御は比較的簡易に行われている。
【００１４】
ところが、短波ラジオ受信機やアマチュア無線通信機などの様々な既存の無線通信装置に対して、電波干渉を回避するように、使用する周波数帯を決定すると、ＰＬＣ機器等の有線通信装置の利用できる周波数が著しく制限されてしまう。
【００１５】
図１１は、従来のＰＬＣ機器での干渉対策例を示す図であって、図１１（ａ）は、有線通信システム及びその周辺に存在する無線通信システムを模式的に示す概念図であり、図１１（ｂ）は、ＰＬＣ信号に対して無線通信装置で使用される周波数帯にノッチを挿入した例を示す概略図である。
【００１６】
例えば、ＰＬＣ信号において、アマチュア無線通信（3.5[MHz]〜3.575[MHz]、3.747[MHz]〜3.754[MHz]、3.791[MHz]〜3.805[MHz]、7.0[MHz]〜7.1[MHz]、10.1[MHz]〜10.15[MHz]、14.0[MHz]〜14.35[MHz]、18.068[MHz]〜18.168[MHz]、18.9[MHz]〜19.02[MHz]、21.0[MHz]〜21.45[MHz]、24.89[MHz]〜24.99[MHz]、28.0[MHz]〜29.7[MHz]（全帯域幅：3.813[MHz]））や短波放送（3.9[MHz]〜3.95[MHz]*、5.9[MHz]〜5.95[MHz]、5.95[MHz]〜6.2[MHz]* 、7.1[MHz]〜7.35[MHz]、9.4[MHz]〜9.9[MHz]*、11.6[MHz]〜12.1[MHz]*、13.57[MHz]〜13.87[MHz]*、15.1[MHz]〜15.8[MHz]*、17.48[MHz]〜17.9[MHz]、21.45[MHz]〜21.85[MHz]、25.67[MHz]〜26.1[MHz]*（全帯域幅：3.85[MHz]）、電波望遠鏡等の電波天文（25.55[MHz]〜25.67[MHz]（全帯域幅：120[kHz]）で使用される周波数帯の使用を回避（ノッチを挿入）する必要があり（図１１（ｂ）参照）、伝送可能な帯域幅がそれだけ減少する。その結果、ＰＬＣの通信容量が減少し、通信速度が低下してしまう。なお、短波放送の周波数帯において、海外で使用されている短波放送の周波数帯も含まれるため、日本では全ての周波数帯にノッチを入れる必要はない。*印のところが日本で使用されており、日本での全帯域幅は2.73[MHz]となる。
【００１７】
このように、アマチュア無線で使用されている帯域だけ回避（ノッチを挿入）するだけでも、およそ４［ＭＨｚ］程度の帯域が減少し、短波放送や他の電波帯まで考慮すると、７［ＭＨｚ］程度の帯域（２８ＭＨｚ→２１ＭＨｚ）が使用できない。このため、ＰＬＣ機器等の有線通信装置が使用できる帯域幅が、例えば、２５％程度まで低下することがある。
【００１８】
従って、ノッチを挿入する周波数帯を固定にすると、ＰＬＣ機器等の有線通信装置で使用できる周波数帯が固定され、アマチュア無線通信機や短波ラジオ受信機などの既存の無線通信装置が常時に稼動しているわけではないにも拘わらず、常に７５％程度の周波数しか使用できないという状況になる。
【００１９】
これに対して、下記特許文献１には、周辺の無線通信装置が使用する周波数帯を検知し、自局が使用する周波数帯を予約する手法（以下、従来手法と呼ぶ）が提案されている。
【００２０】
即ち、この従来手法では、各通信システムが、周辺の通信システムで利用される周波数や利用不可能な周波数を把握し、必要に応じてこれらの周波数を避け、使用する周波数を予約する。他の通信装置の予約周波数の設定を検出した場合には、その周波数で自局宛の通信を行わないように利用不可周波数にあることを通知し、予約周波数での利用を妨げない。また、予約設定時に一時的に利用を宣言することで、他の通信局が同じ周波数を予約することを避ける。
【特許文献１】特開２００５−２５２６４５号公報
【発明の開示】
【発明が解決しようとする課題】
【００２１】
しかしながら、前記の従来手法では、周辺の無線通信装置が使用する周波数帯を検知し、自局が使用する周波数帯を予約し、周辺の無線通信装置が使用する周波数帯を使用しないようにノッチを挿入するため、例えば、短波放送などの電波のように、電波としては存在するが、有線ネットワークの周辺でその無線通信装置の使用周波数帯がその時点で必要とされていない場合（具体的には、短波放送などの場合において短波ラジオ受信機が短波放送を受信していない場合）にも、その周波数帯にノッチを挿入してしまう（図１２（ｂ）参照）。その結果、有線ネットワーク側から見ると、不要なノッチを挿入していることになり、通信容量の低下を招く。なお、図１２は、従来のＰＬＣ機器での干渉対策の問題点を示す図であって、図１２（ａ）は、有線通信システム及びその周辺に存在する無線通信システムを模式的に示す概念図であり、図１２（ｂ）は、ＰＬＣ信号に対して不要なノッチが挿入されていることを説明するため概略図である。
【００２２】
そこで、本発明は、有線ネットワーク側から視て、有線通信の通信信号への不要なノッチの挿入を回避することができ、これにより有線通信の通信容量を増やすことができる有線通信装置及びノッチ挿入方法を提供することを目的とする。
【課題を解決するための手段】
【００２３】
本発明は、前記課題を解決するために、次の有線通信装置及びノッチ挿入方法を提供する。
（１）有線通信装置
有線通信システムに有線ネットワークを介して接続される有線通信装置であって、前記有線ネットワークを介して有線通信を行う有線通信装置部と、前記有線通信による前記有線ネットワークからの輻射電磁波の発生に拘わらず第１無線通信を行うことが可能な無線通信装置部とを備え、前記無線通信装置部は、該無線通信装置部に対して前記第１無線通信を行うことが可能な第１無線通信装置部と、前記有線通信による前記有線ネットワークからの輻射電磁波の干渉を受け得る第２無線通信を行う第２無線通信装置部とを備えた無線通信装置から該無線通信装置の前記第２無線通信装置部が当該処理時点で必要とする必要周波数帯に関する情報を前記第１無線通信によって受信し、前記有線通信装置部は、前記無線通信装置から受信した前記必要周波数帯に関する情報に基づき、前記無線通信装置の前記第２無線通信に対して前記輻射電磁波の干渉を与えないように前記有線通信の通信信号にノッチを挿入することを特徴とする有線通信装置。
（２）ノッチ挿入方法
有線ネットワークを介して相互に接続された複数の有線通信装置の間で有線通信を行う有線通信システムにおける該有線通信の通信信号にノッチを挿入する方法であって、前記有線ネットワークを介して有線通信を行う有線通信装置部と、前記有線通信による前記有線ネットワークからの輻射電磁波の発生に拘わらず第１無線通信を行うことが可能な無線通信装置部とを備えた前記有線通信装置において、前記無線通信装置部に対して前記第１無線通信を行うことが可能な第１無線通信装置部と、前記有線通信による前記有線ネットワークからの輻射電磁波の干渉を受け得る第２無線通信を行う第２無線通信装置部とを備えた無線通信装置に対して近くに前記有線ネットワークが存在することを前記第１無線通信によって通知するネットワーク通知ステップと、前記有線ネットワーク周辺の前記無線通信装置において、前記有線通信装置からの前記通知の受信状態を検出し、該検出した受信状態に応じて前記有線通信の通信信号にノッチを挿入する必要があるか否かを決定する決定ステップと、前記有線ネットワーク周辺の前記無線通信装置において、前記有線通信の通信信号にノッチを挿入する必要があると決定した場合に、前記第２無線通信の使用周波数帯を前記第２無線通信装置部が当該処理時点で必要とするか否かを判別する判別ステップと、前記有線ネットワーク周辺の前記無線通信装置において、前記第２無線通信の使用周波数帯を前記第２無線通信装置部が必要とすると判断した場合に、該第２無線通信装置部が必要とする必要周波数帯に関する情報を前記有線通信装置へ前記第１無線通信によって送信する送信ステップと、前記有線通信装置において、前記無線通信装置から受信した前記必要周波数帯に関する情報に基づき、前記無線通信装置の前記第２無線通信に対して前記輻射電磁波の干渉を与えないように前記有線通信の通信信号にノッチを挿入するノッチ挿入ステップとを含むことを特徴とするノッチ挿入方法。
【００２４】
本発明に係る有線通信装置及びノッチ挿入方法において、前記有線通信としては、代表的には、電力線通信（ＰＬＣ）を例示できる。この場合、前記有線通信システムは、有線ネットワークを介して相互に接続された複数の有線通信装置の間で電力線通信を行うＰＬＣシステムとすることができる。
【００２５】
前記有線通信装置の前記無線通信装置部及び前記無線通信装置は、前記第１無線通信を行う無線システムに無線ネットワークを介して接続されてもよい。前記第１無線通信としては、代表的には、無線ＬＡＮ通信を例示できる。
【００２６】
また、前記第２無線通信としては、例えば、アマチュア無線通信、短波放送の受信、電波天文に用いる無線通信や航空用の無線通信などを挙げることができる。
【００２７】
本発明に係る有線通信装置及びノッチ挿入方法によれば、前記無線通信装置の前記第２無線通信装置部が当該処理時点で必要とする必要周波数帯に関する情報に基づき、該無線通信装置の前記第２無線通信に対して前記輻射電磁波の干渉を与えないように前記有線通信装置の前記有線通信の通信信号にノッチを挿入するので、有線ネットワーク側から見て、前記有線通信の通信信号への不要なノッチの挿入を回避することができる。例えば、前記有線ネットワークの周辺で前記無線通信装置の使用周波数帯が必要とされていない場合（具体的には、短波放送などの場合において短波ラジオ受信機が短波放送を受信していない場合）には、その周波数帯にはノッチを挿入しない。これにより前記有線通信の通信容量を増やすことができる。
【００２８】
また、本発明に係るノッチ挿入方法では、前記有線ネットワーク周辺の前記無線通信装置において、前記有線通信の通信信号にノッチを挿入する必要があると決定した場合に、該無線通信装置を特定する情報（例えば該無線通信装置の識別情報）を該無線通信装置の記憶部に登録する無線通信装置情報登録ステップをさらに含んでいてもよい。このように、前記有線通信の通信信号へノッチを挿入するための前記必要周波数帯に関する情報を知らせる前記無線通信装置の情報を該無線通信装置に登録することで、前記有線ネットワークが周辺に存在する無線通信装置に影響を与え得る範囲において、前記有線通信の通信信号にノッチを挿入する必要がある無線通信装置の情報を保持しておくことができる。こうすることで、従来と比べて、前記有線通信の通信信号に高速にノッチを挿入することができる。
【００２９】
また、本発明に係るノッチ挿入方法では、前記有線ネットワーク周辺の前記無線通信装置において、前記第２無線通信の使用周波数帯を前記第２無線通信装置部が必要とすると判断した場合に、該第２無線通信装置部の必要周波数帯に関する情報を該無線通信装置の前記記憶部に登録する必要周波数帯情報登録ステップと、前記有線ネットワーク周辺の前記無線通信装置において、該無線通信装置の前記記憶部に登録した無線通信装置へ該無線通信装置を特定する情報及び該無線通信装置の第２無線通信装置部の必要周波数帯に関する情報を前記第１無線通信によって通知することで、該記憶部に登録した無線通信装置と該情報を共有する共有ステップとをさらに含んでいてもよい。こうすることで、前記必要周波数帯に関する情報に基づく、前記有線通信の通信信号へのノッチ挿入の位置情報を保持すると共に該情報を前記記憶部に登録した無線通信装置間で共有することができる。
【００３０】
また、本発明に係るノッチ挿入方法では、前記有線ネットワーク周辺の前記無線通信装置において、該無線通信装置の状態に関係する情報が変化した時に、該無線通信装置の前記記憶部に登録した無線通信装置を特定する情報及び必要周波数帯に関する情報を更新する更新ステップと、前記有線ネットワーク周辺の前記無線通信装置において、前記記憶部に登録した無線通信装置へ該無線通信装置を特定する情報及び該無線通信装置の第２無線装置部の必要周波数帯に関する情報を前記第１無線通信によって通知する通知ステップとをさらに含んでいてもよい。このように、無線通信装置の状態に関係する情報に変化が生じた場合に該無線通信装置を特定する情報及び該無線通信装置の第２無線装置部の必要周波数帯に関する情報の更新を行うことで、各通信装置がその情報に関するサーチを行うことなく、最新の情報を得ることができる。
【発明の効果】
【００３１】
以上説明したように、本発明によると、有線ネットワーク側から視て、有線通信の通信信号への不要なノッチの挿入を回避することができ、これにより前記有線通信の通信容量を増やすことができる有線通信装置及びノッチ挿入方法を提供することができる。
【発明を実施するための最良の形態】
【００３２】
以下、本発明の実施形態について添付図面を参照しつつ詳細に説明する。図１は、本発明に係る一実施形態の有線通信装置を備え、本発明に係るノッチ挿入方法を実施するノッチ挿入システムの一例を模式的に示す概念図である。
【００３３】
図１に示すノッチ挿入システム１００は、有線ネットワーク１１を介して相互に接続された複数の有線通信装置１２の間で有線通信を行う有線通信システム１０を備えている。そして、この有線通信システム１０の周辺には、例えば、無線ネットワーク２１を介して相互に接続された複数の無線通信装置２２の間で第１無線通信を行う無線通信システム２０が存在する。
【００３４】
有線通信装置１２は、有線通信装置部１２１と、無線通信装置部１２２とを備えている。有線通信装置部１２１は、有線ネットワーク１１を介して有線通信（例えば電力線通信（ＰＬＣ）など）を行うようになっている。従って、有線ネットワーク１１を介して、各有線通信装置１２の有線通信装置部１２１の間で、有線通信の情報交換を行うことが可能とされている。
【００３５】
無線通信装置部１２２は、前記有線通信による有線ネットワーク１１からの輻射電磁波の発生に拘わらず前記第１無線通信（例えば無線ＬＡＮ通信など）を行うことが可能とされている。即ち、無線通信装置部１２２は、前記有線通信による有線ネットワーク１１からの輻射電磁波の干渉が発生しても前記第１無線通信を行うことができるようになっている。従って、無線ネットワーク２１を介して、各有線通信装置１２の無線通信装置部１２２の間で、第１無線通信の情報交換を行うことが可能とされている。
【００３６】
無線通信装置２２は、第１無線通信装置部２２１と、第２無線通信装置部２２２とを備えている。第１無線通信装置部２２１は、前記有線通信による有線ネットワーク１１からの輻射電磁波の発生に拘わらず、有線通信装置１２の無線通信装置部１２２に対して、前記第１無線通信（例えば無線ＬＡＮ通信など）を行うことが可能とされている。即ち、第１無線通信装置部２２１は、前記有線通信による有線ネットワーク１１からの輻射電磁波の干渉が発生しても、有線通信装置１２の無線通信装置部１２２に対して、前記第１無線通信を行うことができるようになっている。従って、無線ネットワーク２１を介して、各無線通信装置２２の第１無線通信装置部２２１の間、及び、有線通信装置１２の無線通信装置部１２２と無線通信装置２２の第１無線通信装置部２２１との間で、第１無線通信の情報交換を行うことが可能とされている。
【００３７】
第２無線通信装置部２２２は、前記有線通信による有線ネットワーク１１からの輻射電磁波の干渉を受け得る第２無線通信（例えばアマチュア無線通信や短波ラジオ受信など）を行うようになっている。
【００３８】
そして、有線通信装置１２の無線通信装置部１２２は、無線通信装置２２から該無線通信装置２２の第２無線通信装置部２２２が当該処理時点で必要とする必要周波数帯に関する情報を前記第１無線通信によって受信した場合、有線通信装置１２の有線通信装置部１２１は、無線通信装置２２から受信した必要周波数帯に関する情報に基づき、無線通信装置２２の前記第２無線通信に対して前記輻射電磁波の干渉を与えないように前記有線通信の通信信号にノッチを挿入する構成とされている。
【００３９】
図１に示すノッチ挿入システム１００では、周辺に存在する既存の無線通信装置２２は、第２無線通信装置部２２２が当該処理時点で必要とする必要周波数帯に関する情報を把握し、既存の無線通信装置２２で構築されている前記第１無線通信による無線ネットワーク２１を介して、有線ネットワーク１１に接続される有線通信装置１２の無線通信装置部１２２に伝達する。
【００４０】
有線通信装置１２は、無線通信装置部１２２にて無線通信装置２２の第２無線通信装置部２２２が必要とする必要周波数帯に関する情報を該無線通信装置２２から受け取り、有線通信装置部１２２にて該必要周波数帯に関する情報に基づき、無線通信装置２２の前記第２無線通信に対して前記輻射電磁波の干渉を与えないように前記有線通信の通信信号にノッチを挿入する。こうすることで、有線ネットワーク１１側から見て、前記有線通信の通信信号に対する不要なノッチの挿入を回避でき、これにより前記有線通信の通信容量を増やすことができる。
【００４１】
図２は、前記有線通信の通信信号に挿入されたノッチの状態を示す概略図であって、図２（ａ）は、前記有線通信の通信信号に対して、既存の無線通信装置での使用が想定される全ての周波数帯にノッチを挿入した状態を示す図であり、図２（ｂ）は、前記有線通信の通信信号に対して、前記従来手法によって未使用の周波数帯にはノッチを挿入しない状態を示す図であり、図２（ｃ）は、前記有線通信の通信信号に対して、図１に示すノッチ挿入システム１００によって前記有線通信の通信信号にノッチを挿入した状態を示す図である。
【００４２】
図２（ａ）に示すノッチ挿入状態では、未使用の周波数帯及び無線通信装置が必要ではない周波数帯にノッチを挿入するため、通信容量の低下が著しい。また、図２（ｂ）に示すノッチ挿入状態では、未使用の周波数帯にはノッチを挿入していないものの、無線通信装置が必要ではない周波数帯にノッチを挿入しているため、それだけ通信容量が低下する。これに対して、図１に示すノッチ挿入システム１００では、図２（ｃ）に示すように、無線通信装置が必要とする必要周波数帯にのみノッチを挿入するので（換言すれば、未使用の周波数帯だけでなく、無線通信装置が必要ではない周波数帯にはノッチを挿入しないので）、それだけ通信容量を増加させることができる。
【００４３】
本実施の形態において、ノッチ挿入システム１００を次のように構成することができる。即ち、
（無線通信装置への有線ネットワークの通知）
有線通信装置１２は、無線通信装置２２に対して近くに有線ネットワーク１１が存在することを前記第１無線通信によって通知するように構成されている。
（ノッチ挿入の必要性の決定）
無線通信装置２２は、有線通信装置１２からの前記通知の受信状態を検出し、該検出した受信状態に応じて前記有線通信の通信信号にノッチを挿入する必要があるか否かを決定するように構成されている。
（使用周波数帯の必要性の判別）
無線通信装置２２は、前記有線通信の通信信号にノッチを挿入する必要があると決定した場合に、前記第２無線通信の使用周波数帯を第２無線通信装置部２２２が当該処理時点で必要とするか否かを判別するように構成されている。
（有線通信装置への必要周波数帯に関する情報の送信）
無線通信装置２２は、前記第２無線通信の使用周波数帯を第２無線通信装置部２２２が必要とすると判断した場合に、該第２無線通信装置部２２２が必要とする必要周波数帯に関する情報を有線通信装置１２へ前記第１無線通信によって送信するように構成されている。この場合、無線通信装置２２は、前記第２無線通信の使用周波数帯を第２無線通信装置部２２２が必要とすると判断した場合に、該無線通信装置２２を特定する情報（例えばテーブル情報）を前記必要周波数帯に関する情報と共に有線通信装置１２へ前記第１無線通信によって送信するように構成されていてもよい。無線通信装置２２を特定する情報としては、代表的には、無線通信装置２２のＩＤ（識別情報）を例示できる。また、無線通信装置２２のＩＤは、例えば、ＩＰ（Internet Protocol）アドレスなどを挙げることができる。
【００４４】
本実施の形態において、ノッチ挿入システム１００は、さらに次のように構成されてもよい。即ち、
（有線通信装置への必要周波数帯に関する更新情報の送信）
無線通信装置２２は、該無線通信装置２２の状態に関係する情報が変化した時に、前記必要周波数帯に関する情報を有線通信装置１２へ前記第１無線通信によって送信するように構成されていることが好ましい。この場合、無線通信装置２２は、該無線通信装置２２の状態に関係する情報が変化した時に、前記テーブル情報を前記必要周波数帯に関する情報と共に有線通信装置１２へ前記第１無線通信によって送信するように構成されていてもよい。
（無線通信装置を特定する情報の登録）
無線通信装置２２は、前記有線通信の通信信号にノッチを挿入する必要があると決定した場合に、該無線通信装置２２を特定する情報（以下、無線通信装置２２のテーブル情報という）を該無線通信装置２２の記憶部２２７に登録するように構成されていることが好ましい。この場合、無線通信装置２２は、記憶部２２７に登録したテーブル情報に対応する無線通信装置２２の第２無線通信装置部２２２が当該処理時点で前記第２無線通信の使用周波数帯を必要とするか否かを判別するように構成され得る。
（必要周波数帯に関する情報の登録）
無線通信装置２２は、前記第２無線通信の使用周波数帯を第２無線通信装置部２２２が必要とすると判断した場合に、該第２無線通信装置部２２２の必要周波数帯に関する情報を記憶部２２７に登録するように構成されていてもよい。
（他の無線通信装置とのテーブル情報及び必要周波数帯に関する情報の共有）
無線通信装置２２が前記テーブル情報及び前記必要周波数帯に関する情報を記憶部２２７に登録するように構成されている場合において、無線通信装置２２は、記憶部２２７に登録したテーブル情報に対応する無線通信装置２２へ該テーブル情報及び該無線通信装置２２の第２無線通信装置２２２の必要周波数帯に関する情報を前記第１無線通信によって通知することで、該記憶部２２７に登録したテーブル情報に対応する無線通信装置２２と該情報を共有するように構成されていてもよい。
（テーブル情報及び必要周波数帯に関する情報の更新）
無線通信装置２２が前記テーブル情報及び前記必要周波数帯に関する情報を記憶部２２７に登録するように構成されている場合において、無線通信装置２２は、該無線通信装置２２の状態に関係する情報が変化した時に、記憶部２２７に登録したテーブル情報及び必要周波数帯に関する情報を更新するように構成されていることが好ましい。
（他の無線通信装置への更新情報の通知）
そして、無線通信装置２２は、記憶部２２７に登録したテーブル情報に対応する無線通信装置２２へ該テーブル情報及び該必要周波数帯に関する情報を前記第１無線通信によって通知するように構成されていることが好ましい。
（必要周波数帯に関する情報の登録）
有線通信装置１２は、無線通信装置２２から受信した前記必要周波数帯に関する情報を該有線通信装置１２の記憶部１２４に登録するように構成されていてもよい。
（他の有線通信装置との必要周波数帯に関する情報の共有）
有線通信装置１２は、前記記憶部１２４に登録した必要周波数帯に関する情報を他の有線通信装置１２へ前記有線通信又は前記第１無線通信によって通知することで、該他の有線通信装置１２と該情報を共有するように構成されていてもよい。
（必要周波数帯に関する情報の更新）
有線通信装置１２は、無線通信装置２２の状態に関係する情報が変化した時に、記憶部１２４に登録した必要周波数帯に関する情報を更新するように構成されていることが好ましい。
（他の有線通信装置への更新情報の通知）
そして、有線通信装置１２は、該更新した必要周波数帯に関する情報を他の有線通信装置１２へ前記有線通信又は前記第１無線通信によって通知するように構成されていることが好ましい。
【００４５】
さらに、有線通信装置１２は、次のような構成にされてもよい。即ち、有線通信装置１２は、無線通信装置２２から前記テーブル情報及び前記必要周波数帯に関する情報を受信した場合、該無線通信装置２２から受信したテーブル情報及び必要周波数帯に関する情報を記憶部１２４に登録するように構成されていてもよい。この場合、有線通信装置１２は、記憶部１２４に登録したテーブル情報及び必要周波数帯に関する情報を他の有線通信装置１２へ前記有線通信又は前記第１無線通信によって通知することで、該他の有線通信装置１２と該情報を共有するように構成され得る。
【００４６】
また、有線通信装置１２は、前記テーブル情報及び前記必要周波数帯に関する情報を記憶部１２４に登録するように構成されている場合には、無線通信装置２２の状態に関係する情報が変化した時に、記憶部１２４に登録したテーブル情報及び必要周波数帯に関する情報を更新するように構成されていてもよい。
【００４７】
そして、有線通信装置１２は、該更新したテーブル情報及び必要周波数帯に関する情報を他の有線通信装置１２へ前記有線通信又は前記第１無線通信によって通知するように構成されていてもよい。
【００４８】
図１に示すノッチ挿入システム１００は、前記有線通信の通信信号にノッチを挿入するにあたり、次のノッチ処理ステップを実行する。
【００４９】
即ち、前記ノッチ処理ステップは、ネットワーク通知ステップと、決定ステップと、判別ステップと、送信ステップと、ノッチ挿入ステップとを含む。
【００５０】
前記ネットワーク通知ステップでは、有線通信装置１２において、無線通信装置２２に対して近くに有線ネットワーク１１が存在することを前記第１無線通信によって通知する。前記決定ステップでは、有線ネットワーク１１周辺の無線通信装置２２において、有線通信装置１２からの前記通知の受信状態を検出し、該検出した受信状態に応じて前記有線通信の通信信号にノッチを挿入する必要があるか否かを決定する。
【００５１】
前記判別ステップでは、有線ネットワーク１１周辺の無線通信装置２２において、前記有線通信の通信信号にノッチを挿入する必要があると決定した場合に、前記第２無線通信の使用周波数帯を第２無線通信装置部２２２が当該処理時点で必要とするか否かを判別する。前記送信ステップでは、有線ネットワーク１１周辺の無線通信装置２２において、前記第２無線通信の使用周波数帯を第２無線通信装置部２２２が必要とすると判断した場合に、第２無線通信装置部２２２が必要とする必要周波数帯に関する情報を有線通信装置１２へ前記第１無線通信によって送信する。この場合、有線ネットワーク１１周辺の無線通信装置２２において、前記第２無線通信の使用周波数帯を第２無線通信装置部２２２が必要とすると判断した場合に、該無線通信装置２２のテーブル情報を前記必要周波数帯に関する情報と共に有線通信装置１２へ前記第１無線通信によって送信してもよい。
【００５２】
そして、前記ノッチ挿入ステップでは、有線通信装置１２において、無線通信装置２２から受信した前記必要周波数帯に関する情報に基づき、無線通信装置２２の前記第２無線通信に対して前記輻射電磁波の干渉を与えないように前記有線通信の通信信号にノッチを挿入する。
【００５３】
前記ノッチ処理ステップは、更新情報送信ステップをさらに含んでいることが好ましい。この更新情報送信ステップでは、有線ネットワーク１１周辺の無線通信装置２２において、該無線通信装置２２の状態に関係する情報が変化した時に、前記必要周波数帯に関する情報を有線通信装置１２へ前記第１無線通信によって送信する。この場合、有線ネットワーク１１周辺の無線通信装置２２において、該無線通信装置２２の状態に関係する情報が変化した時に、前記テーブル情報を前記必要周波数帯に関する情報と共に有線通信装置１２へ前記第１無線通信によって送信するように構成されていてもよい。
【００５４】
前記ノッチ処理ステップは、無線通信装置情報登録ステップをさらに含んでいることが好ましい。この無線通信装置情報登録ステップでは、有線ネットワーク１１周辺の無線通信装置２２において、前記有線通信の通信信号にノッチを挿入する必要があると決定した場合に、該無線通信装置２２のテーブル情報を該無線通信装置２２の記憶部２２７に登録する。この場合、前記判別ステップでは、有線ネットワーク１１周辺の無線通信装置２２において、記憶部２２７に登録したテーブル情報に対応する無線通信装置２２の第２無線通信装置部２２２が当該処理時点で前記第２無線通信の使用周波数帯を必要とするか否かを判別し得る。
【００５５】
前記ノッチ処理ステップは、必要周波数帯情報登録ステップをさらに含んでいてもよい。この必要周波数帯情報登録ステップでは、有線ネットワーク１１周辺の無線通信装置２２において、前記第２無線通信の使用周波数帯を第２無線通信装置部２２２が必要とすると判断した場合に、該第２無線通信装置部２２２の必要周波数帯に関する情報を記憶部２２７に登録する。
【００５６】
前記ノッチ処理ステップは、無線通信装置側共有ステップをさらに含んでいてもよい。この無線通信装置側共有ステップでは、無線通信装置２２が前記テーブル情報及び前記必要周波数帯に関する情報を記憶部２２７に登録する場合に、有線ネットワーク１１周辺の無線通信装置２２において、記憶部２２７に登録したテーブル情報に対応する無線通信装置２２へ該テーブル情報及び該無線通信装置２２の第２無線通信装置２２２の必要周波数帯に関する情報を前記第１無線通信によって通知することで、該記憶部２２７に登録したテーブル情報に対応する無線通信装置２２と該情報を共有する。
【００５７】
ここで、周辺に存在する無線通信装置２２の状態に関係する情報（例えば、無線通信装置２２が必要とする必要周波数帯に関する情報）は、時間的に変化することが予想されるため、その情報を更新する手続きが必要となる。そこで、前記ノッチ処理ステップは、無線通信装置側更新ステップをさらに含んでいることが好ましい。この無線通信装置側更新ステップでは、無線通信装置２２が前記テーブル情報及び前記必要周波数帯に関する情報を記憶部２２７に登録する場合に、有線ネットワーク１１周辺の無線通信装置２２において、該無線通信装置２２の状態に関係する情報が変化した時に、記憶部２２７に登録したテーブル情報及び必要周波数帯に関する情報を更新する。
【００５８】
そして、前記ノッチ処理ステップは、無線通信装置側通知ステップをさらに含んでいることが好ましい。この無線通信装置側通知ステップでは、有線ネットワーク１１周辺の無線通信装置２２において、記憶部２２７に登録したテーブル情報に対応する無線通信装置２２へ該テーブル情報及び該必要周波数帯に関する情報を前記第１無線通信によって通知する。
【００５９】
無線通信装置２２の状態に関係する情報が変化した際に、前記必要周波数帯に関する情報の更新のタイミングを決定する要素としては、第２無線通信装置部２２２の使用周波数帯に関する情報、第２無線通信装置部２２２の必要周波数帯に関する情報（例えば第２無線通信装置部２２２のスイッチのＯＮ／ＯＦＦ状態の情報）、有線通信装置１２における無線通信装置部１２２からの有線ネットワーク１１が存在することを通知する情報（例えばビーコン）の受信の可否に関する情報を例示できる。これら情報のうち少なくとも一つが変化した場合に、前記必要周波数帯に関する情報や無線通信装置２２のテーブル情報を更新することができる。
【００６０】
また、前記ノッチ処理ステップは、有線通信装置側登録ステップをさらに含んでいてもよい。この有線通信装置側登録ステップでは、有線通信装置１２において、無線通信装置２２から受信した必要周波数帯に関する情報を記憶部１２４に登録する。この場合、前記ノッチ処理ステップは、有線通信装置側共有ステップをさらに含むことができる。この有線通信装置側共有ステップでは、有線通信装置１２において、記憶部１２４に登録した必要周波数帯に関する情報を他の有線通信装置１２へ前記有線通信又は前記第１無線通信によって通知することで、該他の有線通信装置１２と該情報を共有する。
【００６１】
また、前記ノッチ処理ステップは、有線通信装置側更新ステップをさらに含んでいてもよい。この有線通信装置側更新ステップでは、有線通信装置１２において、無線通信装置２２の状態に関係する情報が変化した時に、記憶部１２４に登録した必要周波数帯に関する情報を更新する。
【００６２】
そして、前記ノッチ処理ステップは、有線通信装置側通知ステップをさらに含んでいてもよい。この有線通信装置側通知ステップでは、有線通信装置１２において、該更新した必要周波数帯に関する情報を他の有線通信装置１２へ前記有線通信又は前記第１無線通信によって通知する。
【００６３】
なお、前記有線通信装置側登録ステップでは、有線通信装置１２において、無線通信装置２２から前記テーブル情報及び前記必要周波数帯に関する情報を受信した場合、該無線通信装置２２から受信したテーブル情報及び必要周波数帯に関する情報を記憶部１２４に登録してもよい。この場合、前記有線通信装置側共有ステップでは、有線通信装置１２において、記憶部１２４に登録したテーブル情報及び必要周波数帯に関する情報を他の有線通信装置１２へ前記有線通信又は前記第１無線通信によって通知することで、該他の有線通信装置１２と該情報を共有することができる。
【００６４】
ところで、有線ネットワーク１１が周辺の無線通信装置２２に影響を与える空間（範囲）が限られているため、有線ネットワーク１１からの影響を受けない無線通信装置２２も対象になる可能性があり、これにより不要なノッチ挿入が発生してしまう。また、前記必要周波数帯に関する情報や無線通信装置２２のテーブル情報を周囲の他の無線通信装置２２及び／又は周囲の他の有線通信装置１２と共有するための通信リソースが必要であるが、本来その情報のやり取りが不要な範囲で、通信リソースが無駄遣いされることになる。かかる観点から、図１に示すノッチ挿入システム１００は、有線ネットワーク１１が周辺に存在する無線通信装置２２に影響を与え得る範囲を決め、その範囲内の無線通信装置２２及び／又は有線通信装置１２が前記必要周波数帯に関する情報や無線通信装置２２のテーブル情報を保持し、共有するようになっていることが好ましい。こうすることで、前記有線通信の通信信号に対する不要なノッチをさらに回避することができると共に、周辺に存在する無線ネットワーク２１の通信リソースの無駄遣いを回避することができる。
【００６５】
また、前記有線通信装置側更新ステップでは、有線通信装置１２において、前記テーブル情報及び前記必要周波数帯に関する情報を記憶部１２４に登録する場合には、無線通信装置２２の状態に関係する情報が変化した時に、記憶部１２４に登録したテーブル情報及び必要周波数帯に関する情報を更新してもよい。
【００６６】
そして、前記有線通信装置側通知ステップでは、有線通信装置１２において、該更新したテーブル情報及び必要周波数帯に関する情報を他の有線通信装置１２へ前記有線通信又は前記第１無線通信によって通知してもよい。
【００６７】
図１に示すノッチ挿入システム１００についてさらに具体的に説明すると、有線通信システム１０は、有線ネットワーク（例えばホームネットワーク）１１を介して相互に接続された複数の有線通信装置１２の間で電力線通信（ＰＬＣ）を行うＰＬＣシステムとされている。このＰＬＣシステムにおいて、有線通信装置１２は、有線通信装置部１２１の一例であるＰＬＣ機器と、無線通信装置部１２２の一例である無線ＬＡＮ機器とを搭載した家電機器などの電子機器とされ得る。有線通信装置１２の無線通信装置部１２２及び無線通信装置２２の第１無線通信装置部２２１は、無線ＬＡＮ通信を行う無線ＬＡＮシステムに無線ＬＡＮネットワークを介して接続され得る。また、無線通信装置２２は、第１無線通信装置部２２１の一例である無線ＬＡＮ機器と、第２無線通信装置部２２２の一例である無線機器とを搭載したアマチュア無線機器や短波ラジオ受信機器とされ得る。つまり、ノッチ挿入システム１００は、有線ネットワークの接続形態として、有線・無線が混在する形で構築されている。
【００６８】
図３は、図１に示す有線通信装置１２のハードウェア構成を概略的に示すブロック図である。有線通信装置１２は、有線通信装置部１２１及び無線通信装置部１２２に加えて、図示を省略したＣＰＵ及びメモリを有する通信制御部１２３を備えている。前記メモリは、各種通信制御プログラムを記憶しており、ＲＯＭ及びＲＡＭを含んでいる。通信制御部１２３は、前記ＣＰＵによって、各種通信制御プログラムを前記メモリから読み出し、該読み出した通信制御プログラムを実行することで、有線通信装置部１２１及び無線通信装置部１２２の通信制御を行うように構成されている。
【００６９】
無線通信装置部１２２は、前記第１無線通信を行う無線通信部１３０を備え、周囲に存在する無線通信装置２２の第１無線通信装置部２２１からの前記必要周波数帯に関する情報及び無線通信装置２２のテーブル情報を前記第１無線通信によって受信する機能を有する。なお、前記必要周波数帯に関する情報としては、例えば、前記必要周波数帯の値の他、前記必要周波数帯に基づき作成された前記有線通信の通信信号へのノッチ挿入位置の情報などを挙げることができる。ここで、ノッチ挿入位置の情報とは、前記有線通信の通信信号における周波数帯に対してノッチを挿入するための位置情報のことをいう。
【００７０】
従って、無線通信装置２２は、前記必要周波数帯の情報に基づき前記有線通信の通信信号へのノッチ挿入位置を設定するように構成されていてもよい。この場合、無線通信装置２２は、前記ノッチ挿入位置を有線通信装置１２に送信するように構成することができる。また、無線通信装置２２が有線通信装置１２に前記必要周波数帯を送信するように構成されている場合には、有線通信装置１２は、無線通信装置２２から受信した必要周波数帯に基づき前記有線通信の通信信号へのノッチ挿入位置を設定するように構成することができる。
【００７１】
また、無線通信装置部１２２は、周囲に存在する無線通信装置２２からの前記必要周波数帯に関する情報及び無線通信装置２２のテーブル情報を前記第１無線通信によって他の有線通信装置１２の無線通信装置部１２２に対して送受信する機能を有する。これに代えて又は加えて、有線通信装置部１２１は、周囲に存在する無線通信装置２２からの前記必要周波数帯に関する情報及び無線通信装置２２のテーブル情報を前記有線通信によって他の有線通信装置１２の有線通信装置部１２１に対して送受信する機能を有する。
【００７２】
詳しくは、有線通信装置部１２１は、記憶部１２４と、情報通知部１２５と、ノッチ挿入位置設定部１２６と、有線送信部１２７と、有線受信部１２８と、信号／電源結合部（カプラ）１２９とを備えている。
【００７３】
記憶部１２４は、周囲に存在する無線通信装置２２から受信した必要周波数帯に関する情報及びテーブル情報を登録、更新するものである。この記憶部１２４によって、有線通信装置１２は前記必要周波数帯に関する情報及び無線通信装置２２のテーブル情報を保持することができる。
【００７４】
情報通知部１２５は、無線通信装置部１２２から周囲に存在する無線通信装置２２の第１無線通信装置部２２１に前記第１無線通信によって近くに有線ネットワーク１１が存在することを通知するものである。有線ネットワーク１１が存在することを通知するための情報としては、代表的には、ビーコンを例示できる。この場合、情報通知部１２５は、ビーコンを生成するビーコン生成部とされ得る。また、無線通信装置部１２２は、有線ネットワーク１１が存在することを通知するための情報（以下ビーコンという）を無線通信装置２２の第１無線通信装置部２２１へ送信する機能を有する。
【００７５】
ノッチ挿入位置設定部１２６は、前記必要周波数帯に基づき前記有線通信の通信信号へのノッチ挿入位置を設定するものであり、該設定したノッチ挿入位置の情報を有線送信部１２７に通知するようになっている。有線送信部１２７は、カプラ１２９を介して有線ネットワーク１１へ通信信号を送信するものである。また、有線送信部１２７は、前記ノッチ挿入位置の情報に基づいてトーンマスクを生成するようになっている。ここで、トーンマスクとは、前記有線通信の通信信号に対する周波数毎の使用／未使用パターンのことである。即ち、前記有線通信の通信信号に対しては、周波数毎に番号が割り当てられている。従って、有線送信部１２７は、この周波数の番号を指定して、トーンの使用／未使用の設定を行えるようになっている。こうすることで、前記有線通信の通信信号にノッチを挿入することができる。有線受信部１２８は、カプラ１２９を介して有線ネットワーク１１から送られてきた通信信号を受信するものである。カプラ１２９は、電力線に対して電力線通信信号の入出力を行うものである。
【００７６】
図４は、図１に示す無線通信装置２２のハードウェア構成を概略的に示すブロック図である。無線通信装置２２は、第１無線通信装置部２２１及び第２無線通信装置部２２２に加えて、図示を省略したＣＰＵ及びメモリを有する通信制御部２２３を備えている。前記メモリは、各種通信制御プログラムを記憶しており、ＲＯＭ及びＲＡＭを含んでいる。通信制御部２２３は、前記ＣＰＵによって、各種通信制御プログラムを前記メモリから読み出し、該読み出した通信制御プログラムを実行することで、第１無線通信装置部２２１及び第２無線通信装置部２２２の通信制御を行うように構成されている。
【００７７】
第１無線通信装置部２２１は、ここでは、無線ネットワーク２１を常時形成するために、第２無線通信装置部２２２のＯＮ／ＯＦＦの状態に拘わらず、常に稼動状態となっている。
【００７８】
第２無線通信装置部２２２は、前記有線通信による有線ネットワーク１１からの輻射電磁波の干渉を受け得る第２無線通信を行う第２無線通信部２２４と、前記第２無線通信をＯＮ／ＯＦＦするためのスイッチ２２５とを備えている。
【００７９】
第２無線通信装置部２２２は、第２無線通信部２２４から該第２無線通信部２２４で使用する使用周波数帯の情報を第１無線通信装置部２２１に送信できるようになっている。また、第２無線通信装置部２２２は、スイッチ２２５から第２無線通信装置部２２２の稼働状態の情報（ＯＮ／ＯＦＦ信号）を第１無線通信装置部２２１に送信できるようになっている。これにより、第１無線通信装置部２２１は、第２無線通信装置部２２２のスイッチ２２５がＯＮ状態のときには、前記第２無線通信の使用周波数帯を第２無線通信装置部２２２が当該処理時点で必要とすると判断することができる。また、第１無線通信装置部２２１は、第２無線通信装置部２２２のスイッチ２２５がＯＦＦ状態のときには、前記第２無線通信の使用周波数帯を第２無線通信装置部２２２が当該処理時点で必要でないと判断することができる。
【００８０】
また、第１無線通信装置部２２１は、前記第１無線通信を行う第１無線通信部２３０を備え、前記第２無線通信の使用周波数帯を第２無線通信装置部２２２が必要とすると判断した場合に、前記必要周波数帯に関する情報及び無線通信装置２２のテーブル情報を有線通信装置１２の無線通信装置部１２２へ送信する機能を有する。また、第１無線通信装置部２２１は、有線通信装置１２の無線通信装置部１２２から送られてくるビーコンを受信する機能を有する。また、第１無線通信装置部２２１は、前記必要周波数帯に関する情報及び無線通信装置２２のテーブル情報を前記第１無線通信によって有線通信装置１２の無線通信装置部１２２へ送信する機能を有する。また、第１無線通信装置部２２１は、前記必要周波数帯に関する情報及び無線通信装置２２のテーブル情報を前記第１無線通信によって他の無線通信装置２２の第１無線通信装置部２２１に対して送受信する機能を有する。
【００８１】
第１無線通信装置部２２１は、ビーコンと、第２無線通信装置部２２２が周波数帯を必要とするか否かの情報と、使用周波数帯の情報とに基づき、ノッチ挿入位置の情報を設定して記憶するようになっている。
【００８２】
詳しくは、第１無線通信装置部２２１は、使用周波数帯通知部２２６と、記憶部２２７と、情報受信判別部２２８と、スイッチＯＮ／ＯＦＦ検出部２２９とをさらに備えている。
【００８３】
使用周波数帯通知部２２６は、第２無線通信装置部２２２の使用周波数帯を記憶部２２７に通知するようになっている。記憶部２２７は、前記必要周波数帯に関する情報及び無線通信装置２２のテーブル情報を登録、更新するものである。
【００８４】
情報受信判別部２２８は、第１無線通信装置部２２１が有線通信装置１２の無線通信装置部１２２からビーコンを受け取ったか否かを判定し、ビーコンを受け取ったと判断した場合に、無線通信装置２２のテーブル情報を記憶部２２７に通知して登録させるようになっている。これにより、有線ネットワーク１１が周辺に存在する無線通信装置２２に影響を与え得る範囲を決めることができ、その範囲内の無線通信装置２２において該無線通信装置２２のテーブル情報を保持することができる。
【００８５】
詳しくは、情報受信判別部２２８は、有線通信装置１２から受信したビーコンの受信レベルに基づき、前記有線通信の通信信号にノッチを挿入する必要があるかを決定する。具体的には、ビーコンの受信レベルの大小が、電波干渉の度合いを測る一つの指標であると考えられることから、情報受信判別部２２８は、有線通信装置１２から受信したビーコンの受信レベルに応じて（より具体的には所定の受信レベル以上の場合に）、無線通信装置２２のテーブル情報を記憶部２２７に通知して登録させる。一方、情報受信判別部２２８の判定の結果、記憶部２２７のテーブル情報に登録されなかった無線通信装置２２は、有線ネットワーク１１からの電波干渉を受けないと判定することができる。
【００８６】
スイッチＯＮ／ＯＦＦ検出部２２９は、スイッチ２２５による第２無線通信装置部２２２のＯＮ／ＯＦＦ状態を検知するものである。なお、スイッチＯＮ／ＯＦＦ検出部２２９は、第２無線通信装置部２２２をＯＮ状態にするために該第２無線通信装置部２２２に供給される電力を検出するようにしてもよい。
【００８７】
スイッチＯＮ／ＯＦＦ検出部２２９は、第２無線通信装置部２２２がＯＮ状態にあるか否かを判定し、第２無線通信装置部２２２がＯＮ状態にあると判定した場合に、使用周波数帯通知部２２６からの使用周波数帯を前記必要周波数帯に関する情報として記憶部２２７に通知して登録させると共に、第１無線通信装置部２２２から有線通信装置１２の無線通信装置部１２２に第１無線通信によって通知するようになっている。
【００８８】
次に、図５乃至図７を参照しつつ、図１に示すノッチ挿入システム１００の動作を説明する。図５は、図１に示すノッチ挿入システム１００の動作ステップの一例を示すフローチャートである。図６は、図１に示すノッチ挿入システム１００において、有線通信装置１２と無線通信装置２２との間で前記第１無線通信を行っている状態を示す図である。また、図７は、図１に示すノッチ挿入システム１００における動作状態を示す図である。
【００８９】
図１に示すノッチ挿入システム１００では、先ず、有線通信装置１２において、有線ネットワーク１１が存在することを無線通信装置２２に前記第１無線通信によって通知する（ステップＳ１）。具体的には、周辺の無線通信装置２２に対して、有線ネットワーク１１が存在することを通知するビーコンを送信する。
【００９０】
次いで、有線通信装置１２から通知を受けた無線通信装置２２において、有線ネットワーク１１が存在する通知を受信したか否かを判別し（ステップＳ２）、有線ネットワーク１１が存在する通知を受信したと判断した場合に（ステップＳ２：ＹＥＳ）、該無線通信装置２２のテーブル情報を記憶部２２７に登録する（ステップＳ３）。ここで、無線通信装置２２のテーブル情報が記憶部２２７に登録される条件としては、有線通信装置１２の前記有線通信で使用する周波数帯を利用する可能性がある無線通信装置や、このような無線通信装置以外で、必要周波数帯に関する情報を通知するための無線ネットワークを形成する無線通信装置を例示できる。一方、有線ネットワーク１１が存在する通知を受信していないと判断した場合には（ステップＳ２：ＮＯ）、記憶部２２７を該無線通信装置２２のテーブル情報が登録されていない状態にして（ステップＳ４）、ステップＳ５へ移行する。
【００９１】
有線通信装置１２から通知を受けた無線通信装置２２において、記憶部２２７に登録した無線通信装置２２の第２無線通信装置部２２２が前記第２無線通信の使用周波数帯を必要とするか否かを判別する（ステップＳ５）。具体的には、第２無線通信装置部２２２が前記第２無線通信の使用周波数帯を必要とするか否かを該第２無線通信装置部２２２におけるスイッチ２２５のＯＮ／ＯＦＦ状態で判別する。即ち、スイッチ２２５がＯＮ状態であるならば必要と判別する一方、スイッチ２２５がＯＦＦ状態であるならば不必要と判別する。
【００９２】
前記第２無線通信の使用周波数帯を第２無線通信装置部２２２が必要とすると判断した場合には（ステップＳ５：ＹＥＳ）、無線通信装置２２のテーブル情報を記憶部２２７に登録し、該記憶部２２７に登録した必要周波数帯に関する情報及びテーブル情報を該記憶部２２７に登録した無線通信装置２２に前記第１無線通信によって通知することで、該記憶部２２７に登録した無線通信装置２２と該情報を共有する（ステップＳ６）。また、記憶部２２７に登録した必要周波数帯に関する情報及びテーブル情報を有線通信装置１２へ前記第１無線通信によって送信する（ステップＳ７）。
【００９３】
有線通信装置１２において、無線通信装置２２から受信した必要周波数帯に関する情報及びテーブル情報を記憶部１２４に登録し、該記憶部１２４に登録した必要周波数帯に関する情報及びテーブル情報を、有線ネットワーク１１を構築する他の有線通信装置１２に対して、有線ネットワーク１１又は無線ネットワーク２１を通じて、前記有線通信又は前記第１無線通信によって通知することで、該他の有線通信装置１２と該情報を共有する（ステップＳ８）。こうして、有線ネットワーク１１の各有線通信装置１２において、有線通信装置部１２１で前記有線通信を行う際の通信信号に対してノッチを挿入する周波数帯を把握しておく。
【００９４】
そして、有線通信装置１２において、記憶部１２４に登録した前記必要周波数帯に関する情報に基づき、無線通信装置２２の前記第２無線通信に対して前記輻射電磁波の干渉を与えないように前記有線通信の通信信号にノッチを挿入し（ステップＳ９）、ステップＳ１０に移行する。一方、ステップＳ５で前記第２無線通信の使用周波数帯を第２無線通信装置部２２２が必要としていないと判断した場合には（ステップＳ５：ＮＯ）、ステップＳ１０へ移行する。
【００９５】
次に、無線通信装置２２の状態に関係する情報が変化したか否かを判断し（ステップＳ１０）、無線通信装置２２の状態に関係する情報が変化していない時は（ステップＳ１０：ＮＯ）、処理終了か否かを判断する（ステップＳ１１）。ここで、処理を継続する場合には（ステップＳ１１：ＮＯ）、ステップＳ１０に移行し、無線通信装置２２の状態に関係する情報が変化した時には（ステップＳ１０：ＹＥＳ）、ステップＳ１〜Ｓ１０の処理を実行する。例えば、有線ネットワーク１１周辺に存在する無線通信装置２２における第２無線通信装置部２２２のスイッチ２２５がＯＦＦ状態からＯＮ状態（又はＯＮ状態からＯＦＦ状態）に変化したとき、その周波数帯が必要（又は不要）であると判別できる。これにより、その状態が変化したということをトリガにして、周辺に存在する無線通信装置２２及び有線通信装置１２に対して、無線通信装置２２のテーブル情報及び必要周波数帯に関する情報を通知し、共有する。このように、必要周波数帯に関する情報に変化が生じた場合に情報の更新を行うために、各通信装置１２，２２がその情報に関するサーチを行う必要がなくなる。
【図面の簡単な説明】
【００９６】
【図１】本発明に係る一実施形態の有線通信装置を備え、本発明に係るノッチ挿入方法を実施するノッチ挿入システムの一例を模式的に示す概念図である。
【図２】有線通信の通信信号に挿入されたノッチの状態を示す概略図であって、図（ａ）は、有線通信の通信信号に対して、既存の無線通信装置での使用が想定される全ての周波数帯にノッチを挿入した状態を示す図であり、図（ｂ）は、有線通信の通信信号に対して、従来手法によって未使用の周波数帯にはノッチを挿入しない状態を示す図であり、図（ｃ）は、有線通信の通信信号に対して、図１に示すノッチ挿入システムによって有線通信の通信信号にノッチを挿入した状態を示す図である。
【図３】図１に示す有線通信装置のハードウェア構成を概略的に示すブロック図である。
【図４】図１に示す無線通信装置のハードウェア構成を概略的に示すブロック図である。
【図５】図１に示すノッチ挿入システムの動作ステップの一例を示すフローチャートである。
【図６】図１に示すノッチ挿入システムにおいて、有線通信装置と無線通信装置との間で第１無線通信を行っている状態を示す図である。
【図７】図１に示すノッチ挿入システムにおける動作状態を示す図である。
【図８】従来の無線通信システムを模式的に示す概念図であって、図（ａ）は、異なる無線通信装置間での通信状態を示す図であり、図（ｂ）は、同一無線通信装置間での通信状態を示す図である。
【図９】有線通信システム及びその周辺に存在する無線通信システムにおいて、有線通信システムからの輻射電磁波によって発生する無線通信システムへの電波干渉を説明するための図である。
【図１０】ＰＬＣシステムからの輻射電磁波によって無線通信装置に干渉を与える状態を説明するための図であって、図（ａ）は、有線通信システム及びその周辺に存在する無線通信システムを模式的に示す概念図であり、図（ｂ）は、ＰＬＣ信号のスペクトル及び無線通信装置の電波使用状況を示す概略図である。
【図１１】従来のＰＬＣ機器での干渉対策例を示す図であって、図（ａ）は、有線通信システム及びその周辺に存在する無線通信システムを模式的に示す概念図であり、図（ｂ）は、ＰＬＣ信号に対して無線通信装置で使用される周波数帯にノッチを挿入した例を示す概略図である。
【図１２】従来のＰＬＣ機器での干渉対策の問題点を示す図であって、図（ａ）は、有線通信システム及びその周辺に存在する無線通信システムを模式的に示す概念図であり、図（ｂ）は、ＰＬＣ信号に対して不要なノッチが挿入されていることを説明するため概略図である。
【符号の説明】
【００９７】
１１          有線通信システム
１０          有線ネットワーク
１２          有線通信装置
１２１        有線通信装置部
１２２        無線通信装置部
２２          無線通信装置
２２１        第１無線通信装置部
２２２        第２無線通信装置部
【図１】
2008312143.tif 000003
【図２】
2008312143.tif 000004
【図３】
2008312143.tif 000005
【図４】
2008312143.tif 000006
【図５】
2008312143.tif 000007
【図６】
2008312143.tif 000008
【図７】
2008312143.tif 000009
【図８】
2008312143.tif 000010
【図９】
2008312143.tif 000011
【図１０】
2008312143.tif 000012
【図１１】
2008312143.tif 000013
【図１２】
2008312143.tif 000014